(57)【特許請求の範囲】
【請求項１】
Ｌ字状に曲げた二本の補強棒材の一方の補強棒材を、切土法面地中の二箇所に掘削した一方の掘削穴に挿入すると共に、他方の補強棒材を、切土法面上に平行に向かい合わせて浮かせた状態で他方の掘削穴にそれぞれ挿入して、セメントミルクを流し込んで固着した後、切土法面上に露出した補強棒材を包含するようにコンクリート打設して施工することを特徴とする切土法面の補強土工法。
【請求項２】
切土法面にネットを張って、その上に基礎コンクリートを打設した後、該基礎コンクリートの上に補強棒材を包含するようにコンクリートを打設して施工することを特徴とする請求項１記載の切土法面の補強土工法。
【請求項３】
切土法面のコンクリート打設部を切土法面より掘り下げて、補強棒材を包含するようにコンクリート打設することを特徴とする請求項１又は請求項２記載の切土法面の補強土工法。
【請求項４】
コンクリートを、切土法面上に枕木状にして横水平方向に平行に並べて打設し、施工することを特徴とする請求項１乃至請求項３のいずれか１項に記載の切土法面の補強土工法。
【請求項５】
コンクリートを打設して固化した表面上に、浸透性無機質反応改質性のコンクリート劣化防止剤を塗布して施工することを特徴とする請求項１乃至請求項４のいずれか１項に記載の切土法面の補強土工法。
【発明の詳細な説明】
【０００１】
【発明の属する技術分野】
本発明は、施工作業性の向上と、長期に亘り耐久性の維持を図ることのできる切土法面の補強土工法に関するものである。
【０００２】
【従来の技術】
従来、切土法面の補強土工法としては、
（１）切土法面上に金網型枠を組立てた後にコンクリートを吹付けて格子状のコンクリート枠を形成し、該コンクリート枠の交点部分に穴を設け、切土法面地中にセメントミルク等を流し込んで固着した鉄筋補強棒材をコンクリート枠の表面に突き出し、ナットの締付けにより固定する工法。
（２）切土法面の全面に吹付けコンクリートを打設し、該吹付けコンクリートの表面に鉄板補強材を当てて、切土法面地中にセメントミルク等を流し込んで固着した鉄筋補強棒材を鉄板補強材の表面に突き出し、ナットの締付けにより固定する工法。
が主流となっており、一般的に周知された技術である。
【０００３】
【発明が解決しようとする課題】
しかしながら、上記従来の補強土工法においては、切土法面地中にセメントミルク等を流し込んだ鉄筋補強棒材に鉄製のナットを螺合させてコンクリートを締付け固定するため、補強棒材やナット、鉄板補強材が錆びて腐食することや、コンクリートが経年劣化しやすい欠点があり、又作業性が悪いことから、本発明者は、先に特願２００１−１０２７８１号において、腐食に強い繊維強化樹脂製の棒材を使用してコ字状に曲げた補強棒材の両脚部を切土法面地中に掘削穴を設けて挿入固着した後、切土法面上に前記補強棒材の上端部を包含するようにコンクリートを打設して施工することを特徴とする切土法面の補強土工法を提供している。
【０００４】
ところが、前記特願２００１−１０２７８１号においては、補強棒材をコ字状に曲げているため、切土法面地中に挿入して立てる補強棒材の脚と脚の間隔が固定されたものになるから、その間隔に合わせて切土法面地中に掘削された掘削穴の垂直度や穴と穴の間隔が正確であれば良いが、掘削穴が位置ずれしたり、倒れたりすると、補強棒材を切土法面の掘削穴中心に正確な状態で立てられなくなる問題点や、補強棒材を鉄筋にした場合、重く且つモーメントが大きくなるため作業性が悪くなる問題点がある。
【０００５】
従って、本発明では上記特願２００１−１０２７８１号における問題点を解消し、且つコンクリート打設施工の作業性の向上とコンクリートの経年劣化の防止を図り、長期に亘り耐久性の維持を図ることのできる切土法面の補強土工法を提供することを課題とするものである。
【０００６】
【課題を解決するための手段】
本発明は、上記課題を達成するためになされたもので、その解決手段は以下に記載するとおりである。
すなわち、
（１）Ｌ字状に曲げた二本の補強棒材の一方の補強棒材を、切土法面地中の二箇所に掘削した一方の掘削穴に挿入すると共に、他方の補強棒材を、切土法面上に平行に向かい合わせて浮かせた状態で他方の掘削穴にそれぞれ挿入して、セメントミルクを流し込んで固着した後、切土法面上に露出した補強棒材を包含するようにコンクリート打設して施工することを特徴とする切土法面の補強土工法である。
（２）切土法面にネットを張って、その上に基礎コンクリートを打設した後、該基礎コンクリートの上に補強棒材を包含するようにコンクリートを打設して施工することを特徴とする前項（１）記載の切土法面の補強土工法である。
（３）切土法面のコンクリート打設部を切土法面より掘り下げて、補強棒材を包含するようにコンクリートを打設することを特徴とする前項（１）又は（２）記載の切土法面の補強土工法である。
（４）コンクリートを、切土法面上に枕木状にして横水平方向に平行に並べて打設し、施工することを特徴とする前項（１）乃至（３）のいずれか１項に記載の切土法面の補強土工法である。
（５）コンクリートを打設して固化した表面に、浸透性無機質反応改質性のコンクリート劣化防止剤を塗布して施工することを特徴とする前項（１）乃至（４）のいずれか１項に記載の切土法面の補強土工法である。
【０００７】
そして、上記Ｌ字状に曲げた二本の補強棒材の一方の補強棒材を、切土法面地中の二箇所に掘削した一方の掘削穴に挿入すれば、二箇所の掘削穴の位置が正確でなくても、掘削穴の中心に位置するように立てることが可能となり、掘削穴が垂直でなくても、Ｌ字状の補強棒材の掘削穴に挿入されていない他方を切土法面に対し平行になるように曲げ調整が可能となり、正確な状態で補強棒材を立てて固着することができ、補強棒材を包含するようにコンクリートを打設することで、ナットの締付けにより固定するのが不用となる。
【０００８】
切土法面にはネットを張って、コンクリートを打設するのが好ましく、コンクリートの打設は、張ったネットの上に基礎コンクリートを打設してネットを固定し、基礎コンクリートの上に補強棒材を包含するようにコンクリートを打設すると良い。
又、切土法面がシラスのような軟質の土の場合は、切土法面のコンクリート打設部を掘り下げてコンクリートを打設すれば、打設したコンクリートの下面へ雨水等の浸入が阻止される。
【０００９】
更に、コンクリートを切土法面上に枕木状にして横水平方向に平行に並べて打設し、施工するようにすれば、コンクリートを打設して固まる迄に流動するのが少なくなることや、水平方向の足場とすることで、上下方向の作業がなくなり、コンクリート打設施工の作業性が向上する。
【００１０】
コンクリートを打設して養生固化した表面には、浸透性無機質反応改質性コンクリート劣化防止剤を塗布することにより、コンクリートの中までコンクリート劣化防止剤が浸透して不透水層が形成され、液体や気体が遮断されて、補強棒材等が腐食しにくく、コンクリートの経年劣化を防止されて長期に亘り耐久性の維持が図られる。
【００１１】
【発明の実施の形態】
本発明の実施の形態を実施例を示す図面に基づいて説明する。
図１の（ａ）は、実施例を示す断面図であり、（ｂ）はその平面図である。
図１は、Ｌ字状に曲げた二本の補強棒材１，１の一方の補強棒材を、切土法面Ａの地中の二箇所に掘削した掘削穴Ｂ，Ｂの一方に挿入すると共に、他方の補強棒材を切土法面Ａ上に平行に向かい合わせて浮かした状態で掘削穴Ｂ，Ｂの他方にそれぞれ挿入して、セメントミルク（図示せず）等を流し込んで固着した後、切土法面上に露出した補強棒材１，１を包含するようにコンクリート２を打設して施工するようにしたものである。Ｌ字状に曲げた補強棒材１，１は掘削穴Ｂ，Ｂにセメントミルクを流し込んで固着するようにしてある。
【００１２】
上記の如くして、切土法面Ａにコンクリートを打設するにおいては、切土法面Ａが、コンクリート打設してない部分で発生する表面の崩壊防止のためネット４を張り、その上に基礎コンクリート２ａを打設してネット４を固定し、基礎コンクリート２ａの上に、補強棒材１，１を包含するようにコンクリート２を打設するようにすると良い。ネット４は合成樹脂製のネットが好ましい。
【００１３】
又、切土法面Ａが、シラス土のような軟質の土の場合、図２に示すように切土法面Ａのコンクリート打設部を掘り下げてコンクリートを打設することにより、雨水による表面浸食が、打設したコンクリート下面まで達することがなくなり、コンクリートと法面が一体となって崩壊を防止する。
【００１４】
次に、前記補強棒材を包含するようにコンクリートを打設するについての型枠の実施例を示す図３並びに図４において説明する。
図３は、切土法面地中に掘削した掘削穴Ｂ，Ｂを挿入して固着させた補強棒材１，１を平行に向い合わせて切土法面上に浮かすように支持された状態の型枠の組立て平面図で、図４は図３のＴ−Ｔ断面拡大図である。
【００１５】
型枠５は、横長い長方形の合成樹脂製ダンボール状の型枠であり、型枠５の内側には、横フレームタイ６，６，…の両端部を直角に曲げて合成樹脂製のコーン７，７，…を係止させて、該コーン７，７，…に型枠５の外側よりバタプレート８，８，…を介在させて、組立ねじ９，９，…をねじ付けて組立てられており、バタプレート８，８，…と型枠５の外側面の間にバタ材（角パイプ）１０，１０，…を嵌め込んで、型枠５の外側を支持するようにして、型枠５内上方の横フレームタイ６，６，…の左右の曲げ部と、縦フレームタイ６ａ，６ａ，…の間に、Ｌ字状に曲げた補強棒材１，１の切土法面上に浮かした方を載置して、平行に向い合わせ支持してある。
【００１６】
なお、上記型枠の組立は、本発明のコンクリート打設における型枠組立の一実施例を示すものであり、型枠組立はこれに限定されるものではなく、従来より使用される木質板型枠等により組立ててコンクリートを打設するようにしても良い。
【００１７】
上記型枠組立は、ネット４を張った切土法面Aの上に横水平方向に平行に並べて組立てられ、先ず、図１に示す基礎コンクリート２ａを打設するためのコンクリートを型枠内に流し込み、養生固化させる。養生固化させた基礎コンクリートの表面には浸透性無機質反応改質性のコンクリート劣化防止剤を塗布する。
【００１８】
次いで、コンクリート劣化防止剤を塗布した基礎コンクリート２ａの上にコンクリート２を打設すべく、型枠内にコンクリートを流し込み、補強棒材１，１をコンクリートで包含し、上面をコテ仕上げして養生固化させる。打設した基礎コンクリート２ａとコンクリート２の容積比は、おおむね１：３〜４程度とし、切土法面を掘り下げてコンクリートを打設する必要のある場合の前記容積比は、一般的には１：１〜２程度とするのが良いがこれに限定するものではない。横水平方向にコンクリートが打設されるので、コンクリートの流動が少なく打設作業がやりやすい。
【００１９】
上記型枠内にコンクリートを流し込んで養生固化させた後、組立てた型枠５を解体する。すなわち、組立ねじ９，９，…を緩めて取り外すことにより、バタプレート８，８，…とバタ材１０，１０，…は外れ、ダンボール状の型枠５を上方へ引き抜くと解体され、枕木状のコンクリートのブロックとなる。型枠５を上方へ引き抜き易くするためには抜き勾配をつけると良い。又、型枠５の内側に当接して組立てられた合成樹脂製のコーン７，７，…のねじ穴が側面に露出するので、コンクリートを埋めて仕上げると良い。
【００２０】
上記型枠解体後、浸透性無機質反応改質性のコンクリート劣化防止剤を、露出したコンクリートの全表面に塗布する。浸透性の良好な無機質反応改質性のコンクリート劣化防止剤が中まで浸透し、不透水層を形成して液体や気体が遮断され、コンクリートの経年劣化が防止されると共に、コンクリート内に包含される補強棒材１，１や型枠組立部材が腐食性の材質の場合、腐食しにくくなる。
【００２１】
前記コンクリート内に包含される補強棒材１，１や型枠組立部材は、鉄筋等の金属や繊維強化樹脂、合成樹脂等が使用されるが、腐食性の金属の場合、表面にエポキシ樹脂塗装後ガラスコーティング、亜鉛メッキ後ガラスコーティング（或いは単にガラスコーティングやエポキシ樹脂塗装のみでも良い）等の腐食防止処理を施すのが好ましい。
【００２２】
以上のようにして、コンクリートを切土法面上に枕木状にして水平方向に平行に並べて打設し、施工した実施例を図５及び図６に示す。
図５は、Ｌ字状に曲げた二本の補強棒材１，１を包含するようにネット４を張った切土法面Ａ上に、コンクリート２，２，…を枕木状にして横水平方向に、縦列で等間隔に並べて打設した施工の実施例を示したものであり、図６は縦列に等間隔に並べて打設したコンクリート２，２，…の間隔を広げてその中間に位置するように段違いにしてコンクリート２，２，…を打設した施工の実施例を示したものである。
なお、枕木状にしたコンクリート２を、横水平方向に長く延ばして、コンクリートの打設本数を少なくしても良い。又、格子状のコンクリート打設に前記Ｌ字状の補強棒材を配設しても良い。
【００２３】
【発明の効果】
以上記述した如く、本発明によれば以下の効果を奏する。
すなわち、
（１）Ｌ字状に曲げた二本の補強棒材の片方を、切土法面地中に掘削した二箇所の掘削穴にそれぞれ挿入して立てるようにしたから、二箇所の掘削穴の間隔や、掘削穴の垂直度が正確でなくても、掘削穴の中心に正確に立てることができ、Ｌ字状にしたことで補強棒材を鉄筋にしても、軽くモーメントも小さくなるため、作業性が良くなる。
【００２４】
（２）又、切土法面上に露出した補強棒材を包含するようにコンクリートを打設するから、補強棒材にナットを締付けて固定する必要がなく、手間が省けると共に、補強棒材に雨滴がかからず腐食したりしてコンクリートの経年劣化を起す危険性が少なくなる。
【００２５】
（３）コンクリートの打設は、枕木状にして横水平方向に打設するから、コンクリートの流動が少なく、且つ水平方向の足場とすることで上下方向の作業がなくなり、コンクリート打設作業がやりやすく、打設作業の作業性を向上させることができる。
【００２６】
（４）更に、打設して養生固化したコンクリートの表面に、浸透性無機質反応改質性のコンクリート劣化防止剤を塗布することにより、コンクリートの中までコンクリート劣化防止剤が浸透して不透水層が形成され、液体や気体が遮断されて、補強棒材等が更に腐食しにくくなると共に、コンクリートの劣化が防止されて長期に亘り耐久性の維持を図ることができる。
【図面の簡単な説明】
【図１】本発明の実施例を示す図面で、（ａ）は断面図、（ｂ）は平面図である。
【図２】切土法面が軟質の場合の実施例を示す要部断面図である。
【図３】コンクリート打設の型枠の実施例を示す平面図である。
【図４】図３のＴ−Ｔ拡大断面図である。
【図５】コンクリートの打設施工の実施例を示す斜視図である。
【図６】コンクリートの打設施工の実施例を示す斜視図である。
【符号の説明】
Ａ  切土法面
Ｂ  掘削穴
１  補強棒材
２  コンクリート
２ａ  基礎コンクリート
３  スペーサ
４  ネット
５  型枠
６  横フレームタイ
６ａ  縦フレームタイ
７  コーン
８  バタプレート
９  組立ねじ
１０  バタ材
【図１】
0003803272.tif 000002
【図２】
0003803272.tif 000003
【図３】
0003803272.tif 000004
【図４】
0003803272.tif 000005
【図５】
0003803272.tif 000006
【図６】
0003803272.tif 000007